(57)【要約】【課題】  歯の咬み合わせの調整に使用される咬合紙に於いて、薄いフィルム状である咬合紙の操作性及び利便性の向上を目的として、接着する事の出来る機能を付加した接着咬合紙を提供する。【解決手段】  咬合紙の基盤となる支持基材の、一方の面に着色層を設け、反対の面に着色接着層又は接着層を設け、前記着色層、前記支持基材、前記着色接着層の三層構造、又は、前記着色層、前記支持基材、前記接着層の三層構造とする事を特徴とする接着咬合紙。【選択図】図１
2014184104.tif 000002
【特許請求の範囲】
【請求項１】
咬合紙の基盤となる支持基材の、一方の面に着色層を設け、反対の面に着色接着層又は接着層を設け、前記着色層、前記支持基材、前記着色接着層の三層構造、又は、前記着色層、前記支持基材、前記接着層の三層構造とする事を特徴とする接着咬合紙。
【発明の詳細な説明】
【技術分野】
【０００１】  本発明は、歯の咬み合わせの調整に使用されるフィルム状である咬合紙の操作性及び利便性の向上を目的として、接着する事の出来る機能を付加した接着咬合紙に関するものである。
【背景技術】
【０００２】  従来、両面又は片面に、赤や青の着色剤が塗布された構成のフィルム状の咬合紙（図３、図４参照）が使用されており、加工歯等の調整時に前記咬合紙を咬ませ、噛んだ歯列に付着した前記咬合紙による着色の後で、噛み合わせの状況を診断する事の出来る歯科用補助具であり、全顎用となる馬蹄形及び部分顎用となる短冊形の二形態で構成される。【０００３】  そして、薄くて折れ曲がり易い咬合紙を支える事の出来る咬合紙ホルダーなる保持具がある。【０００４】  前記咬合紙を構成する基盤となる支持基材の素材は、紙、織布、不織布、編布、ポリ塩化ビニル、ポリエチレン、ポリプロピレン、ポリエチレンテレフタレート、シリコーン等が使用されていて、厚みは、前記着色剤を含め約１０〜１００ミクロンとなる。【０００５】  前記支持基材に塗布される前記着色剤は、植物性ワックス、動物性ワックス、ミネラルワックス、合成ワックス、石油化学系ワックス、化学修飾された硬蝋、染料等から成る化合物を内部に封じ込め，咬む圧力によって放出させる事の出来るマイクロカプセル化のされた感圧性の着色剤が咬合紙に一般的に使用されている。【０００６】  前記咬合紙の発展例として、特許文献１に於いて、接着材を含める事で着色剤をより一層強く付着させる咬合紙の記載があった。【０００７】  同じく、特許文献２及び３に於いて、顕色剤によって発色させ、噛み合わせの状態を診断する事の出来る咬合シートの記載があった。【０００８】  特許文献４に於いて、仮止め機構を設けた咬合シートの記載があった。【０００９】  特許文献５に於いて、咬合力診断シート用ホルダーの記載があった。【００１０】  特許文献６に於いて、咬合紙ホルダーの記載があった。
【先行技術文献】
【特許文献】
【００１１】
【特許文献１】  特表２００７−５１９６８２号公報
【特許文献２】  特公平７−１０６２１２号公報
【特許文献３】  特許第３２６２２９９号公報
【特許文献４】  特開２００３−３８５２４号公報
【特許文献５】  特許第２７３２１７９号公報
【特許文献６】  特開２０００−３４２６０３号公報
【発明の概要】
【発明が解決しようとする課題】
【００１２】  咬合紙は薄いフィルム状の形態であり、暗く狭い口腔内での歯の咬み合わせの調整作業に於いて、歯科医の指又はピンセット等の保持具を用いて使用する補助具であるが、使用する際には薄いが故に湾曲、屈曲、破損等で操作性に欠け、調整箇所からの転移、脱落など安定性にも欠けるなど効率性に劣り、調整作業に手間取る事が現状である。【００１３】  特に、全顎用となる馬蹄形の咬合紙は、前記ピンセット等の保持具は構造的に使用する事が不可能である為に、歯科医の指で左右側の歯列及び前歯部に前記全顎用となる馬蹄形の咬合紙を保持する事は非常に手間の掛かる作業であり、代用として前記部分顎用となる短冊形の咬合紙を左右の歯列に何度も移動させて使用しているので効率性に欠け、前記咬合紙を使用する調整作業はいずれにしても手間と時間の掛かる作業であった。【００１４】  そして、以上の長引く調整作業により患者は、同一姿勢の維持による肉体的疲労、苦痛及び緊張感の持続による精神的疲労、不安から起きる治療及び歯科医への不信感等が生じる事となり、歯科医は、無理な体勢となる座居姿勢による肉体的疲労、診療への不安及び焦りによる精神的疲労、調整作業及び診療行為への安易な妥協等が生じる事となる。
本発明はこれらを解決するものである。
【課題を解決するための手段】
【００１５】  咬合紙の基盤となる支持基材の、一方の面に着色層を設け、反対の面に着色接着層又は接着層を設け、前記着色層、前記支持基材、前記着色接着層の三層構造、又は、前記着色層、前記支持基材、前記接着層の三層構造とする事を特徴とする接着咬合紙である。
【発明の効果】
【００１６】  本発明の咬合紙を使用する事により、薄いフィルム状の形態である前記咬合紙は、暗く狭い口腔内での歯の咬み合わせの調整作業に於いて、歯科医は前記咬合紙を撮み、患者の口腔内の調整箇所に相対する咬合歯列に前記咬合紙の接着面を向けて、指の腹で軽く押し付ける様にして仮り付着させるだけの簡単な操作となり、後は咬んで貰うだけでしっかりと接着固定する事が出来、調整箇所からの転移、脱落等は無くなり、操作時の湾曲、屈曲、破損等の心配も無くなり、調整作業は迅速かつ正確に行なえる様になり効率性は良くなる。【００１７】  特に扱い辛かった前記全顎用となる馬蹄形の咬合紙には、暗く狭い口腔内の左右側の歯列及び前歯部に軽く付着して前記馬蹄形の咬合紙を保持する事なく咬んで貰うだけの簡単な操作となるので、入れ歯等の広範囲の調整作業を同時に行なう事が必要な症例にも、迅速かつ正確に調整作業が行なえるので便利である。【００１８】  そして、以上の事から歯の調整作業は短縮される事となり、患者の肉体的疲労は軽減され、尚かつ精神的安堵感を得る事により、治療及び歯科医への信頼感が生じるものであり、歯科医も診療時間は短縮され、肉体的疲労は軽減され、的確な調整によって自信となり精神的にゆとりが生じ、その他の治療に専念できる様になるものである。
【図面の簡単な説明】
【００１９】
【図１】  本発明の実施例１の構成を示す概略断面図である。
【図２】  本発明の実施例２の構成を示す概略断面図である。
【図３】  従来の実施例の構成を示す概略断面図である。
【図４】  従来の実施例の構成を示す概略断面図である。
【発明を実施するための形態】
【実施例１】
【００２０】  本発明の実施例１の構成は、図１で示す様に、咬合紙の基盤となるフィルム状である支持基材１１の、一方の面に着色層１２を設け、反対の面に着色接着層１３を設け、前記着色層１２、前記支持基材１１、前記着色接着層１３の三層構造とする構成である。【００２１】  その詳細は、図３で示す従来型である支持基材２１の、両方の面に着色層２２を設けた前記着色層２２、前記支持基材２１、前記着色層２２の三層構造である咬合紙の、いずれか一方の面に設けられた前記着色層２２に、接着機能を付加させて前記着色接着層１３と発展した構成となる前記着色層１２、前記支持基材１１、前記着色接着層１３の三層構造である。【００２２】  前記支持基材１１の素材及び前記着色層１２で使用される着色剤は、従来のものと変わる事なく背景技術の記載と同じであるが、接着機能を付加させる事の出来る接着材は、天然ゴム、合成ゴム、ポリオレフィン、ポリアクリレート、ポリビニル誘導体もしくは共重合体、ポリアミド、コポリアミド、ポリエステル、コポリエステル、コポリエーテルエステル、ポリウレタン、シリコーン等の化合物に、軟化剤、粘度降下剤、安定剤及び／又は充填剤を補填したものを使用するが、新たに開発される接着材及び成分も使用する事が出来るものとする。【００２３】  前記着色接着層１３で使用される前記着色剤に接着機能を付加させる方法として、前記着色剤と前記接着材の双方を混合した後に、感圧性にする為のマイクロカプセル化をする方法と、前記着色剤と前記接着材の双方を個別に、隔離した状態でマイクロカプセル化をしてから混合する方法と、前記着色剤と前記接着材の双方を個別に、マイクロカプセル化をした感圧性着色剤と感圧性接着剤として、いずれか一方を先に被膜化させ、残りの他方を重ねる様に被膜化させる方法が挙げられる。【００２４】  又、前記着色剤及び前記接着材は、感圧性でなくとも使用出来るものである。【００２５】  実施例１の使用方法は、暗く狭い口腔内に於いて、調整する加工歯側の歯列に本発明の咬合紙（以下、本咬合紙とする）の着色層１２の有る面を向け、前記加工歯と咬み合わせとなる対合歯側の歯列に着色接着層１３の有る面を向け、前記対合歯側の歯列に指の腹で軽く押し付ける様にして仮り付着させる。【００２６】  そして、本咬合紙越しに上下の歯列を咬ませると、本咬合紙は咬合圧によって一層強く前記対合歯側の歯列に付着し、口を開けると、上下の歯列の当たっている部位のみに本咬合紙と強く接触した痕跡として着色剤による着色痕が残り、調整したい前記加工歯の着色痕を削合し、何度も同様の作業を繰り返す事で正常な咬み合わせの状態とする事ができる。【００２７】  さらに、本咬合紙は上下の歯列が噛み合った時に、確実に前記対合歯側の歯列に接着固定されているので、術者が本咬合紙をその都度保持する必要が無く、素早く何度でも確認及び削合の作業が行なえるものである。【００２８】  本咬合紙は、前記対合歯側の歯列に接着固定されているだけではなく、同時に前記対合歯側の歯列に着色痕も付与する事が出来ているので、本咬合紙を剥がし前記対合歯側の歯列の接触位置の確認及び削合も必要に応じてする事が出来、加工歯を上下同時に製作及び調整する時などは、本咬合紙は複数回の剥離と接着が可能である為、双方の咬み合わせの確認及び調整作業が何度でも同時に行なえるので便利である。【００２９】  本咬合紙を仮り付着させる作業は、簡単な作業なので本咬合紙の湾曲、屈曲、破損等を気にする事なく行なえるので安心である。【００３０】  又、仮り付着させて咬ませる時には、本咬合紙は前記対合歯側の歯列に仮り付着されているので本咬合紙の転移及び脱落も起きるものではない。【００３１】  本咬合紙の不使用時には、身近で目立つ所に軽く貼り付けて置く事で、風や振動で紛失する事が無いので探す手間が省かれ便利である。【００３２】  そして、調整の作業で着色痕の濃度が薄くなった時には、歯に付着している本咬合紙を剥して位置を変えて再接着をする事で、着色痕の濃度は復活するもので便利である。
以上が実施例１の使用方法である。
【実施例２】
【００３３】  本発明の実施例２の構成は、図２で示す様に、咬合紙の基盤となるフィルム状である支持基材１１の、一方の面に着色層１２を設け、反対の面に接着層１４を設け、前記着色層１２、前記支持基材１１、前記接着層１４の三層構造とする構成である。【００３４】  その詳細は、図４で示す従来型である支持基材２１の、片方の面に着色層２２を設けた前記着色層２２、前記支持基材２１の二層構造である咬合紙の、何も設けられていない残りの片方の面に接着層１４を設けた構成となる前記着色層１２、前記支持基材１１、前記接着層１４となる三層構造である。【００３５】  実施例２で使用される前記支持基材１１の素材、前記着色剤、前記接着剤は、実施例１と同じである。【００３６】  そして、実施例２の使用方法も実施例１と同じである。【００３７】  実施例１と実施例２の違いは、双方の接着の出来る面に、着色機能の有無の違いが有り、使用する設定によって使い分けが出来るものである。
【符号の説明】
【００３８】  １１，２１  支持基材
１２，２２  着色層
１３        着色接着層
１４        接着層
【図１】
2014184104.tif 000003
【図２】
2014184104.tif 000004
【図３】
2014184104.tif 000005
【図４】
2014184104.tif 000006